(57)【要約】【課題】  一般ユーザーの設定変更を容易にする一方で、意図しない設定変更の防止を可能にした映像表示装置を提供すること。【解決手段】  ユーザーの権限を識別するための第１の認証情報と、入力された第２の認証情報との比較に基づいて、前記映像表示装置に対して行える操作のうち一部の操作を実行することが可能な一般モードと、前記一般モードより前記映像表示装置に対する操作可能な範囲が広い特権モードと、を切り替える制御手段と、前記特権モードにおける前記映像表示装置の設定値を第１の設定値として記録する記録手段と、さらに前記制御手段は、所定の条件の下で、前記一般モードにおける前記映像表示装置の設定値である第２の設定値を消去し、前記記録手段から読み出した前記第１の設定値を前記映像表示装置の設定値とする。【選択図】  図１
2016103810.tif 000002
【特許請求の範囲】
【請求項１】
映像表示装置であって、
ユーザーの権限を識別するための第１の認証情報と、入力された第２の認証情報との比較に基づいて、前記映像表示装置に対して行える操作のうち一部の操作を実行することが可能な一般モードと、前記一般モードより前記映像表示装置に対する操作可能な範囲が広い特権モードと、を切り替える制御手段と、
前記特権モードにおける前記映像表示装置の設定値を第１の設定値として記録する記録手段と、
さらに前記制御手段は、所定の条件の下で、前記一般モードにおける前記映像表示装置の設定値である第２の設定値を消去し、前記記録手段から読み出した前記第１の設定値を前記映像表示装置の設定値とする
ことを特徴とする映像表示装置。
【請求項２】
前記第１の認証情報と、前記第２の認証情報が一致した場合、前記特権モードに切り替えることを特徴とする請求項１に記載の映像表示装置。
【請求項３】
前記一般モードは、前記第１の認証情報を設定することを除いて、操作を実行することができることを特徴とする請求項１または２に記載の映像表示装置。
【請求項４】
前記モード切り替え手段により、前記特権モードから前記一般モードへ切り換えられた場合に、前記特権モードにおける前記映像表示装置の設定値を記録することを特徴とする請求項１から３のいずれか一項に記載の映像表示装置。
【請求項５】
前記所定の条件は、前記映像表示装置が前記一般モードであって、前記映像表示装置の電源がＯＦＦされ、次に電源がＯＮされた場合であることを特徴とする請求項１から４のいずれか一項に記載の映像表示装置。
【請求項６】
前記所定の条件は、前記映像表示装置が前記一般モードであって、前記映像表示装置の操作ボタンまたはリモコンの操作ボタンを決められた順序で入力することを特徴とする請求項１から４のいずれか一項に記載の映像表示装置。
【請求項７】
前記所定の条件は、前記映像表示装置が前記一般モードであって、前記特権モードへ切り換えた場合であることを特徴とする請求項１から４のいずれか一項に記載の映像表示装置。
【請求項８】
前記映像表示装置はさらに通信手段を備え、前記所定の条件は、前記映像表示装置が前記一般モードであって、前記通信手段により所定の通信データが入力された場合であることを特徴とする請求項１から４のいずれか一項に記載の映像表示装置。
【請求項９】
映像表示装置の制御方法であって、
ユーザーの権限を識別するための第１の認証情報と、入力された第２の認証情報とを比較するステップと、
前記比較ステップの結果に基づいて、前記映像表示装置に対して行える操作のうち一部の操作を実行することが可能な一般モードと、前記一般モードより前記映像表示装置に対する操作可能な範囲が広い特権モードと、を切り替えるモード切り替えステップと、
前記特権モードにおける前記映像表示装置の設定値を第１の設定値として記録する記録ステップと、
所定の条件の下で、前記一般モードにおける前記映像表示装置の設定値である第２の設定値を消去し、前記記録手段から読み出した前記第１の設定値を前記映像表示装置の設定値とするステップと、
を備えることを特徴とする映像表示装置の制御方法。
【請求項１０】
映像表示装置を制御する制御プログラムであって、
ユーザーの権限を識別するための第１の認証情報と、入力された第２の認証情報とを比較するステップと、
前記比較ステップの結果に基づいて、前記映像表示装置に対して行える操作のうち一部の操作を実行することが可能な一般モードと、前記一般モードより前記映像表示装置に対する操作可能な範囲が広い特権モードと、を切り替えるモード切り替えステップと、
前記特権モードにおける前記映像表示装置の設定値を第１の設定値として記録する記録ステップと、
所定の条件の下で、前記一般モードにおける前記映像表示装置の設定値である第２の設定値を消去し、前記記録手段から読み出した前記第１の設定値を前記映像表示装置の設定値とするステップと、
を実行することを特徴とする制御プログラム。
【発明の詳細な説明】
【技術分野】
【０００１】
本発明は、映像表示装置に関し、特に認証機能を備えた映像表示装置に関するものである。
【背景技術】
【０００２】
会議室など共有スペースに設置された映像表示装置は、不特定多数のユーザーが映像表示装置を操作する可能性がある。このような場合、本来の使用用途に合わない設定に変更されることがあり、その結果、意図した映像表示とならず、円滑な会議の進行を妨げてしまうことがあった。
【０００３】
例えば、会議室に設置された映像表示装置が、あるユーザーにより、所定時刻になると映像表示装置を自動的に電源ＯＦＦする設定がされていたとする。それを知らないユーザーが、この映像表示装置を使用して会議を行っていると、会議中にも関わらず突然映像表示装置の電源がＯＦＦになり慌てるといったケースがあった。
【０００４】
このような状況を鑑みて、映像表示装置にユーザー認証を持たせることにより、不特定ユーザーは映像表示装置を使用できないようにする、あるいは、設定を変更できないようにする映像表示装置が知られている。
【０００５】
特許文献１には、定められた所定の操作ボタンを正しい順序で押してから電源ＯＮ操作しないと光源が点灯しないプロジェクタが開示されている。
【０００６】
特許文献２には、パスワードによる認証により、ユーザーの権限レベルを判断し、権限レベルに応じた操作のみを許可するプロジェクタが開示されている。
【先行技術文献】
【特許文献】
【０００７】
【特許文献１】特開２００５−３３８６０４号公報
【特許文献２】特開２００６−２３５０００号公報
【発明の概要】
【発明が解決しようとする課題】
【０００８】
しかしながら、上述の特許文献１に開示された従来技術では、設定を変更するためには、認証に成功し映像表示装置を起動する必要がある。認証方法を知らないユーザー（以後、一般ユーザーと表記）は、認証方法を知るユーザー（以後、特権ユーザーと表記）に問い合わせる必要があった。
【０００９】
また、上述の特許文献２に開示された従来技術では、会議の参加人数や会議の形態に応じて設定を変更したい場合に、一般ユーザーに操作できない設定項目が含まれていると即座に設定を変えることができず、同様に特権ユーザーに問い合わせる必要があった。
【００１０】
このように、認証によって映像表示装置の操作を制限することで、設定を勝手に変更され、意図しない設定になることを防止することは可能であるが、一般ユーザーにとって利便性の低下は避けられなかった。
【００１１】
そこで、本発明の目的は、一般ユーザーの設定変更を容易にする一方で、意図しない設定変更の防止を可能にした映像表示装置を提供することである。
【課題を解決するための手段】
【００１２】
ユーザーの権限を識別するための第１の認証情報と、入力された第２の認証情報との比較に基づいて、前記映像表示装置に対して行える操作のうち一部の操作を実行することが可能な一般モードと、前記一般モードより前記映像表示装置に対する操作可能な範囲が広い特権モードと、を切り替える制御手段と、前記特権モードにおける前記映像表示装置の設定値を第１の設定値として記録する記録手段と、さらに前記制御手段は、所定の条件の下で、前記一般モードにおける前記映像表示装置の設定値である第２の設定値を消去し、前記記録手段から読み出した前記第１の設定値を前記映像表示装置の設定値とすることを特徴とする。
【発明の効果】
【００１３】
本発明によれば、一般ユーザーの設定変更を容易にする一方で、意図しない設定変更の防止を可能にした映像表示装置を提供することができる。
【図面の簡単な説明】
【００１４】
【図１】本発明のプロジェクタを示す全体構成図
【図２】本発明の第１の実施例におけるフローチャート図
【図３】本発明の実施例における設定例
【図４】本発明の第２及び第３の実施例におけるフローチャート図
【図５】本発明のディスプレイを示す全体構成図
【発明を実施するための形態】
【００１５】
以下に、本発明の好ましい実施の形態を、添付の図面に基づいて詳細に説明する。
【００１６】
（実施例１）
以下、図１を参照しながら、本発明の第１の実施例によるプロジェクタについて説明する。
【００１７】
プロジェクタ１０は、映像信号入力端子１００、映像信号処理回路１０１、ＯＳＤ生成回路１０２、通信部１０３、制御マイコン１０４、不揮発メモリ１０５、揮発メモリ１０６、操作検知部１０７、映像投射光学系１０８、投射レンズ１０９、レンズＲＯＭ１１０、レンズ駆動装置１１１、不図示の電源供給部を備えている。
【００１８】
映像信号入力端子１００には、ＨＤＭＩ（登録商標）、ＤＶＩ、アナログＶＧＡなどの接続端子が配置される。ＰＣやブルーレイディスクプレーヤーなど、外部映像出力機器からの映像信号や音声信号が入力される。
【００１９】
映像信号処理回路１０１は、入力映像信号のクロック周波数やインフォフレームなどのデータを元に入力映像の解像度を判定する機能や、ノイズ除去、拡大／縮小といったスケーリングなどの機能を備える。
【００２０】
ＯＳＤ生成回路１０２は、メニュー画像や情報アイコン画像などのＯＳＤ（オンスクリーンディスプレイ）画像をグラフィック描画により生成し、表示映像に重畳し表示する。ユーザーは、表示されるＯＳＤメニューを操作することにより、プロジェクタの各種設定を変更することができる。
【００２１】
映像投射光学系１０８は、不図示の光源と、映像信号処理回路１０１からの映像を表示する不図示の液晶パネルと、光源からの光を液晶パネルに導く不図示の光学系と、液晶パネルからの光を投射レンズに導く不図示の光学系から構成される。光源は、高圧水銀ランプ、ＬＥＤ、レーザー、などが使用される。
【００２２】
投射レンズ１０９は、液晶パネルからの光を投射し映像表示する。また、不揮発メモリであるレンズＲＯＭ１１０を備えており、投射レンズの製品名、レンズ焦点距離、レンズ種類、絞り値など、投射レンズの特性を示す情報が記録されている。
【００２３】
なお、投射レンズ１０９は着脱可能の構成とすることもでき、望遠や広角、絞り値など特性が異なる投射レンズを使用し、プロジェクタの使用用途を拡張することができる。
【００２４】
レンズ駆動装置１１１は、投射レンズの焦点位置や拡大倍率を、駆動パルス信号によりモーターを駆動し、投射レンズが備える特性の範囲で変動させることができる。
【００２５】
制御マイコン１０４は、不揮発メモリ１０５に記録された各種設定に基づいて処理を実行する。また、後述の通信部１０３から、受信したデータの解析や、後述の操作検知部１０７からの操作イベントとＯＳＤ生成回路１０２で生成される画像を同期して変化させるなどの制御を行う。また、この制御マイコン１０４は、ユーザーのＯＳＤメニューの操作に従って、パスワードの登録や変更などの認証情報設定を行う。さらに、レンズＲＯＭ１１０の情報を読むことで、投射レンズの駆動可能な範囲を決定する。
【００２６】
通信部１０３は、ＲＳ−２３２Ｃや有線ＬＡＮなどの接続端子や、無線通信の送受信部を備え、予め定められ通信形式により、外部の機器との間で、データを送受信することができる。
【００２７】
不揮発メモリ１０５は、プロジェクタへの電源をＯＦＦしても情報を保持できる書き換え可能な不揮発性の記録媒体であり、フラッシュメモリやＥＥＰＲＯＭなどが用いられる。記録するデータ容量や、処理の目的に応じて複数配置される場合もある。不揮発メモリ１０５には、製造シリアルナンバー、ファームウェアおよびそのバージョン、ＥＤＩＤおよびそのバージョン、設定値など、プロジェクタに関わる各種情報が記録されている。また、後述の特権モードにおける設定内容記録処理の記録領域も備える。
【００２８】
揮発メモリ１０６はＲＡＭであり、電源がＯＮの間、制御マイコン１０４の一時的な記録領域として使用される。動作中の設定などもこの領域に記録される。
【００２９】
操作検知部１０７は、プロジェクタ１０の外面に設けられた不図示の操作部、および、赤外リモコンや有線リモコンなどの不図示の受光部から構成され、ボタン操作などのイベントを検出し、対応するキーコードなどを制御マイコン１０４へ通知する。
【００３０】
図２は、本発明の第１の実施例におけるフローチャートである。
【００３１】
フローチャートには図示していないが、この処理フローを開始する前に予め認証情報として、管理者に相当する特権ユーザーがＯＳＤメニューを操作しパスワードを入力する。入力されたパスワードは、不揮発メモリ１０５に記録する。
【００３２】
＜Ｓ１００＞
後述の、特権モードで設定された設定値を不揮発メモリ１０５から読み出し設定する。後述の一般モードで適宜設定が変更されたとしても、プロジェクタ１０の電源がＯＮされると、必ず、一般モードで設定された設定値は消去され、特権モードで設定された設定値に復帰する。このとき、設置環境に合わせて設定されることが多い投射レンズのフォーカス位置やズーム位置、台形歪み補正なども特権モードで設定された設定値に復帰する。
【００３３】
＜Ｓ１０１＞
ユーザー認証を行い、ユーザーの権限を識別するステップである。
【００３４】
最初に、不揮発メモリ１０５に記録されている前回のモード情報を読み出す。不揮発メモリ１０５へのモード情報の記録は、後述のＳ１０２、Ｓ１０４で説明する。モード情報が一般モードの場合、Ｓ１０５へ移行する。
【００３５】
特権モードの場合、ユーザーに認証情報であるパスワードを入力させる。入力されたパスワードと、不揮発メモリ１０５に記録されている認証情報であるパスワードを比較した結果、一致していれば、Ｓ１０２に移行する。不一致の場合、Ｓ１０５へ移行する。
【００３６】
＜Ｓ１０２＞
認証情報が一致したので、一般モードより操作可能範囲が広く、通常全ての操作を実行することが可能な特権モードとして動作する。ここで、プロジェクタの投射レンズのフォーカス位置やズーム位置、台形歪み補正の設定、種々の画質モードの設定など、設置環境に合わせ設定することができる。
【００３７】
例えば、資料映像を見やすくする目的で、表示輝度を最大、画質モードをプレゼンテーション向けモード、自動消灯機能はＯＦＦ、など、図３（１）に示すように、ＯＳＤメニューを操作し設定する。
【００３８】
また、認証情報を変更することも可能で、例えばセキュリティ強化のため、定期的にパスワードを更新することもできる。ここで、モード情報として特権モードへ移行したことを不揮発メモリ１０５に記録する。
【００３９】
＜Ｓ１０３＞
モード切り替えステップで、ＯＳＤメニューを操作し、一般モードへ切り替えることができる。特権モードにおける設定や、認証情報などが不用意に変更されないように、通常、特権モードでの設定が完了したら、一般モードへ切り替える。一般モードへの切り替えを選択した場合、Ｓ１０４へ移行する。継続して特権モードで動作する場合は、Ｓ１０２へ移行する。
【００４０】
＜Ｓ１０４＞
特権モードから一般モードへ移行するので、特権モードで設定された設定値と、モード情報として一般モードへ移行したことを不揮発メモリ１０５に記録し、Ｓ１０５へ移行する。
【００４１】
＜Ｓ１０５＞
一般モードとして動作するステップである。一般モードでは、一般モードから特権モードへ切り替える際に認証が必要であること、認証パスワードを登録または変更することができない、の一部の操作を除き、特権モードと同じ操作を実行することができる。
【００４２】
従って、会議の参加人数や会議の形態に応じて設定を変更したい場合でも、管理者に問い合わせすることなく、適宜設定を変更することができ、一般ユーザーの利便性を向上することができる。
【００４３】
＜Ｓ１０６＞
特権モードへの切り替え操作を実行するステップで、特権モードへ移行するか否かをユーザーの指示により、選択する。特権モードへの移行を実行する場合、Ｓ１００へ移行し、特権モードへの移行を実行しない場合、Ｓ１０５へ戻る。
【００４４】
以上説明したように、プロジェクタ１０の電源がＯＮされた際、制御マイコン１０４は不揮発メモリ１０５に保存された特権モードの設定を読み出し、プロジェクタ１０の設定として反映させる。すなわち、プロジェクタ１０の各設定値は、特権モードで設定した状態に復帰する。
【００４５】
例えば、一般ユーザーが、使用中のプロジェクタの表示輝度が明るすぎると感じた場合、図３（２）に示すように、ＯＳＤメニューから輝度を低下させる操作を実行することが可能である。プロジェクタ１０の設定は、特権モードで設定した状態より輝度が低下した状態になるが、図３（３）に示すように電源をＯＦＦし、次回、電源ＯＮすると、特権モードで設定した状態に復帰する。
【００４６】
これにより、プロジェクタ１０の設定を適宜変更することができ、また、別の機会に別のユーザーがこのプロジェクタ使用する際に、意図しない設定に変更されているという事態を防止することができる。
【００４７】
（実施例２）
本発明の第２の実施例によるプロジェクタについて説明する。
【００４８】
プロジェクタの構成は、第１の実施例と同様である。
【００４９】
図４は、本発明の第２の実施例におけるフローチャートである。第１の実施例における図２の処理フローと同じステップ番号は説明を省略する。
【００５０】
第１の実施例との相違点は、予め不揮発メモリ１０５に、特権モードで設定した設定値に復帰するため、装置或いはリモコンに設けられた操作部のボタンを特定の順序で操作（以後、ボタン操作パターンと表記）する。そのボタン操作パターンデータが記録されている点である。
【００５１】
＜Ｓ２０７＞
特権モードの設定値を読み出すか否かを判定するステップで、所定の条件に合致したか否かを判定する。
【００５２】
本実施例では、操作部の操作ボタンまたはリモコンの操作ボタンを一定の順序で入力する。制御マイコン１０４は、該操作ボタンのキーコードを受信し、一定の順序で入力された操作ボタンのパターンデータと、不揮発メモリ１０５に記録されている操作パターンデータを比較する。一致した場合、Ｓ２０８へ移行し、不一致の場合、Ｓ１０６へ移行する。
【００５３】
＜Ｓ２０８＞
所定の条件に合致したので、Ｓ１００と同様に、一般モードで設定された設定値は消去され、特権モードで設定された設定値を不揮発メモリ１０５から読み出し設定する。これにより、一般モードのまま、特権モードで設定した設定値に復帰することができる。
【００５４】
以上説明したように、一般モードで設定を適宜変更した場合でも、電源ＯＦＦし、再度電源ＯＮの操作をすることなく、特権モードで設定した設定に復帰することができる。
【００５５】
例えば、プロジェクタをそれまでのユーザーとは異なる別のユーザーが継続して使用する場合、それまでのユーザーが設定を変更していても、プロジェクタの電源をＯＦＦし再度電源をＯＮの操作をすることなく特権モードで設定した状態に復帰することができる。
【００５６】
（実施例３）
以下、図５を参照しながら、本発明の第３の実施例によるディスプレイについて説明する。
【００５７】
ディスプレイ２０は、映像信号入力端子１００、映像信号処理回路１０１、ＯＳＤ生成回路１０２、通信部１０３、制御マイコン１０４、不揮発メモリ１０５、揮発メモリ１０６、操作検知部１０７、映像表示部２０８、表示パネル駆動回路２０９、不図示の電源供給部を備えている。
【００５８】
第１の実施例におけるプロジェクタと同じ番号のブロックは、本実施例のディスプレイにおいて同様の機能を持つため、説明は省略する。
【００５９】
映像表示部２０８は、不図示の液晶パネル、液晶パネルの裏面側に配置され、液晶パネルに光を照射する不図示のバックライトユニットなどから構成される。
【００６０】
表示パネル駆動回路２０９は、不図示の液晶パネルを駆動するためのタイミング信号などを生成する回路である。
【００６１】
図４は本発明の第３の実施例におけるフローチャートである。第１の実施例における図２の処理フローと同じステップ番号は、本実施例のディスプレイにおいて同様の処理となるため、説明を省略する。
【００６２】
本実施例のディスプレイには、予め不揮発メモリ１０５に、特権モードで設定した設定値に復帰するための通信データが記録されている。
【００６３】
＜Ｓ２０７＞
特権モードの設定値を読み出すか否かを判定するステップで、所定の条件に合致したか否かを判定する。
【００６４】
本実施例では、ＰＣなどの外部機器から通信コマンドを送信する。制御マイコン１０４は、受信した該通信データと、不揮発メモリ１０５に記録されている通信データを比較する。一致した場合、Ｓ２０８へ移行し、不一致の場合、Ｓ１０６へ移行する。
【００６５】
＜Ｓ２０８＞
所定の条件に合致したので、Ｓ１００と同様に、特権モードで設定された設定値を不揮発メモリ１０５から読み出し設定する。これにより、一般モードのまま、特権モードで設定した設定値に復帰することができる。
【００６６】
ここでの通信は、定められた通信データを装置間で送受信できれば良いので、ＲＳ−２３２Ｃ、有線ＬＡＮ、無線ＬＡＮ、近距離無線通信などを使用することができる。
【００６７】
例えば、特権モードを実行可能なユーザーが近距離無線通信可能な社員証を所持している場合、不揮発メモリ１０５にそのユーザーの社員証データを通信データとして記録しておく。その後、社員証をかざすだけで、特権モードで設定していた設定に復帰することができる。
【００６８】
また、多数のディスプレイを一括で集中管理しているようなシステム構成の場合、ＬＡＮにより遠隔操作することもでき、柔軟な運用をすることが可能となる。
【００６９】
以上説明したように、一般モードで設定を適宜変更した場合でも、電源ＯＦＦし再度電源ＯＮの操作をすることなく、通信データの送受信により、特権モードで設定した設定に復帰することができる。
【００７０】
このように、実施例によれば、一般モードで映像表示装置の設定を適宜変更することができ、一方で予め設定された映像表示装置の設定を不意に変更してしまうことがなく、意図しない設定変更の防止を可能とすることができる。
【００７１】
以上、本発明の好ましい実施形態について説明したが、本発明はこれらの実施形態に限定されず、その要旨の範囲内で種々の変形及び変更が可能である。
【００７２】
例えば、一般モードから特権モードに切り替える際には、パスワードを入力する方法を実施例中では示したが、予め定められた所定のボタン操作の実行、指紋認証、静脈認証あるいは音声認証など、種々の認証手段が利用可能である。
【００７３】
また、一般モードから特権モードへ切り換えた際、特権モードの設定値を読み出し設定してもよい。
【００７４】
さらに、映像表示装置はＤＭＤ（Ｄｉｇｉｔａｌ  Ｍｉｒｒｏｒ  Ｄｅｖｉｃｅ）を使用したプロジェクタや、有機ＥＬパネルを使用したディスプレイなどにも適用可能である。
【産業上の利用可能性】
【００７５】
本発明は、認証機能を備えた映像表示装置に有効である。
【符号の説明】
【００７６】
１０  プロジェクタ
１００  映像信号入力端子
１０１  映像信号処理回路
１０２  ＯＳＤ生成回路
１０３  通信部
１０４  制御マイコン
１０５  不揮発メモリ
１０６  揮発メモリ
１０７  操作検知部
１０８  映像投射光学系
１０９  投射レンズ
１１０  レンズＲＯＭ
１１１  レンズ駆動装置
【図１】
2016103810.tif 000003
【図２】
2016103810.tif 000004
【図３】
2016103810.tif 000005
【図４】
2016103810.tif 000006
【図５】
2016103810.tif 000007